(57)【要約】      （修正有）【課題】排水ソケットから床下排水管に偏って流入した洗浄水が床下排水管の屈曲部分をシールして負圧が発生することを防ぎ、便器の封水を引き込み封水水位が低下することを防ぐことができ、節水化できる洗い落し式便器を提供する。【解決手段】洗い落し式便器１は、汚物受け面１２を備えたボウル部６と、ボウル部に旋回流を形成する吐水部２２と、排水トラップ管路１０と、この排水トラップ管路１０と床下排水管２６とを連結する排水ソケット２４とを有し、排水ソケット２４は、この管路の内周面に沿って旋回しようとする洗浄水を受けるように、管路の内周面に沿って形成された棚部３４を備え、棚部３４は、旋回流が反時計周りの旋回流である場合、棚部３４の反時計周り側領域が時計周り側領域よりも高くなるように形成され、旋回流が時計周りの旋回流である場合、時計周り側領域が反時計周り側領域よりも高くなるように形成されている。【選択図】図１
2015063828.tif 000002
【特許請求の範囲】
【請求項１】
水の落差による流水作用で汚物を押し流す洗い落し式便器であって、
ボウル形状の汚物受け面と、上縁に位置するリム部と、を備えたボウル部と、
このボウル部に洗浄水を吐水して旋回流を形成する吐水部と、
上記ボウル部の下方に入口が接続され、後方且つ上方へ延びる上昇管路と、この上昇管路と接続し且つ下方へと延びる下降管路と、を備えた排水トラップ管路と、
この排水トラップ管路の出口部と床下に設けられた床下排水管の入口部とを連結する管路を形成する排水ソケットと、を有し、
上記排水ソケットは、上記ボウル部で形成された旋回流が管路に流入し、この管路の内周面に沿って旋回しようとする洗浄水を受けるように、上記管路の内周面に沿って形成された棚部を備え、
上記棚部は、上記ボウル部で形成された旋回流が反時計周りの旋回流である場合、上記棚部の反時計周り側領域（Ｒ１）が時計周り側領域（Ｒ２）よりも高くなるように形成され、上記ボウル部で形成された旋回流が時計周りの旋回流である場合、上記棚部の時計周り側領域（Ｒ２）が反時計周り側領域（Ｒ１）よりも高くなるように形成されていることを特徴とする洗い落し式便器。
【請求項２】
上記棚部は、上記排水ソケットの流入口部の中心軸線と上記排水ソケットの流出口部の中心軸線とを通る鉛直方向断面において、流出口部に向けて下り傾斜している請求項１記載の洗い落し式便器。
【請求項３】
上記棚部は、螺旋軌道に沿って形成された傾斜面を備えている請求項１又は２に記載の洗い落し式便器。
【請求項４】
上記棚部は、上記排水ソケットの流出口部の中心軸線を中心とした螺旋軌道に沿って傾斜面を形成している請求項１乃至３の何れか１項に記載の洗い落し式便器。
【請求項５】
上記棚部は、上面視で、上記排水ソケットの流入口部の中心軸線より後側領域の全領域に設けられている請求項１乃至４の何れか１項に記載の洗い落し式便器。
【請求項６】
上記棚部は、その上面が連続した曲面により形成されている請求項１乃至５の何れか１項に記載の洗い落し式便器。
【請求項７】
上記排水ソケットは、その流出口部において、下方向へ延びるガイド部材を備えている請求項１乃至６の何れか１項に記載の洗い落し式便器。
【請求項８】
上記ガイド部材は、その下流端が内側に向かって傾斜している請求項７記載の洗い落し式便器。
【発明の詳細な説明】
【技術分野】
【０００１】
本発明は、水の落差による流水作用で汚物を押し流す洗い落し式便器に係り、特に、排水ソケットから床下排水管に偏って流入した洗浄水が床下排水管の屈曲部分をシールして負圧が発生することを防ぎ、便器の封水を引き込むことを防ぐことができる洗い落し式便器に関する。
【背景技術】
【０００２】
従来から、水洗大便器の種類の中で、サイホン作用を生じさせない便器として、洗い落し式便器が知られている。このような従来の洗い落し式便器は、サイホン作用を生じさせて便器を洗浄するサイホン式便器に比べて、水の落差による流水作用で汚物を押し流す方式で構造がシンプルであり、かつ安価であることに加えて、サイホン作用を生じさせないため、便器洗浄に用いられる洗浄水の量が少なくて済むという利点がある。このような洗い落し式便器の利点は、従来から便器に要請されている洗浄水の節水のニーズにも合致したものとなっている。
また、従来の洗い落し式便器において、汚物を受ける汚物受け面と、この上縁に位置するリム部と、リム部の後方側に設けられ前方向に洗浄水を吐水するリム吐水部を備え、リム吐水部から吐水された洗浄水により、汚物受け面に旋回流を形成し洗浄を行うものが知られている。このような便器では、汚物受け面に旋回流を形成するため、洗浄水を旋回させながら排水トラップ部及び排水ソケットから床下の排水管側へ排出する。この際に、排水ソケット部を通過する洗浄水は旋回しながら通過するため、排水ソケットの管路の内周面に沿って流れることとなる。これにより、排水ソケットから床下の排水管側に流入する際には、床下の排水管の通水方向と直角の断面において、洗浄水が排水管の内周面に偏った状態で入り込むことになる。したがって、床下の排水管が屈曲部分を有している場合には、床下の排水管の内周面に偏った洗浄水が屈曲部分をシールしてしまい、床下の排水管内で負圧が発生し、便器の封水までも引き込んでしまい、基本的に封水の補給を行わない洗い落し便器の封水不足になってしまうという問題がある。
そこで、このような問題の対策として、例えば、特許文献１に記載されているように、水洗大便器の排水ソケットの屈曲管路内で発生する上流側の排水を下流側に引き込もうとする負圧を抑制する負圧抑制手段が、排水ソケットの屈曲管路部材に設けられているものも知られている。 
【先行技術文献】
【特許文献】
【０００３】
【特許文献１】特開２０１１−１７９１８７号公報
【発明の概要】
【発明が解決しようとする課題】
【０００４】
しかしながら、上述した特許文献１の水洗大便器においては、排水ソケットの管路の内周面に沿って旋回しようとする洗浄水の旋回方向の流速成分を抑制させる旋回抑制手段がないため、特に、旋回流で洗浄をするような水洗大便器に、このような排水ソケットを適用した場合には、洗浄水が排水ソケットの管路の内周面に沿って旋回するのを抑制することができない。しがって、洗浄水が床内の排水管へ偏った状態で流入すること防止することができず、床下の排水管が屈曲部分を有している場合には、排水ソケットから床下の排水管に偏って流入した洗浄水が屈曲部分をシールしてしまうことにより負圧が発生し、便器の封水を引き込むことを防ぐことができず、便器の封水水位の低下を防止することができないという問題がある。また、このような場合、封水水位が低下した分の量の洗浄水を加えなければならず、その分の量の洗浄水を余分に使用することになり、節水化のニーズに反することになるといった問題がある。
【０００５】
そこで、本発明は、上述した従来技術の問題を解決するためになされたものであり、排水ソケットから床下排水管に偏って流入した洗浄水が床下排水管の屈曲部分をシールして負圧が発生することを防ぎ、便器の封水を引き込み封水水位が低下することを防ぐことができ、節水化することができる洗い落し式便器を提供することを目的としている。
【課題を解決するための手段】
【０００６】
上述した目的を達成するために、本発明は、水の落差による流水作用で汚物を押し流す洗い落し式便器であって、ボウル形状の汚物受け面と、上縁に位置するリム部と、を備えたボウル部と、このボウル部に洗浄水を吐水して旋回流を形成する吐水部と、ボウル部の下方に入口が接続され、後方且つ上方へ延びる上昇管路と、この上昇管路と接続し且つ下方へと延びる下降管路と、を備えた排水トラップ管路と、この排水トラップ管路の出口部と床下に設けられた床下排水管の入口部とを連結する管路を形成する排水ソケットと、を有し、排水ソケットは、ボウル部で形成された旋回流が管路に流入し、この管路の内周面に沿って旋回しようとする洗浄水を受けるように、管路の内周面に沿って形成された棚部を備え、棚部は、ボウル部で形成された旋回流が反時計周りの旋回流である場合、棚部の反時計周り側領域（Ｒ１）が時計周り側領域（Ｒ２）よりも高くなるように形成され、ボウル部で形成された旋回流が時計周りの旋回流である場合、棚部の時計周り側領域（Ｒ２）が反時計周り側領域（Ｒ１）よりも高くなるように形成されていることを特徴としている。
このように構成された本発明においては、吐水部からボウル部に洗浄水を吐水して形成した旋回流で便器を洗浄した洗浄水が、排水ソケットの管路の内周面に沿って旋回しながら流入するとき、ボウル部において形成される旋回流が反時計周りの旋回流である場合、棚部の反時計周り側領域が高くなるように形成され、ボウル部において形成される旋回流が時計周りの旋回流である場合、棚部の時計周り側領域が高くなるように形成されているので、その管路の内周面に沿って旋回しようとする洗浄水を受ける棚部により、洗浄水の旋回方向の流速成分を抑制させることができ、且つ洗浄水を排水ソケットの管路の中央方向に導くことができる。よって、洗浄水が排水ソケットの管路の内周面に沿って旋回することを抑制することができ、洗浄水が排水ソケットから床下排水管へ偏った状態で流入すること防ぐことができる。したがって、床下排水管が屈曲部分を有している場合に、排水ソケットから床下排水管に偏って流入した洗浄水が床下排水管の屈曲部分をシールして負圧が発生することを防ぐことができ、洗い落し式便器の封水を引き込み封水水位が低下することを防ぐことができる。
【０００７】
本発明において、好ましくは、棚部は、排水ソケットの流入口部の中心軸線と排水ソケットの流出口部の中心軸線とを通る鉛直方向断面において、流出口部に向けて下り傾斜している。
このように構成された本発明においては、吐水部からボウル部に洗浄水を吐水して形成した旋回流で便器を洗浄した洗浄水が排水ソケットの管路の内周面に沿って旋回しながら流入するとき、排水ソケットの流出口部に向けて下り傾斜している棚部により、洗浄水の旋回方向の流速成分を抑制させることができ、且つ洗浄水を排水ソケットの流出口部の中央方向に導くことができる。よって、洗浄水が排水ソケットの流出口部の内周面に沿って旋回することを抑制することができ、洗浄水が排水ソケットから床下排水管へ偏った状態で流入すること防ぐことができる。また、洗浄水が、棚部が流出口部に向かう下り傾斜に形成されているので、棚部に滞留されにくく、スムーズに流出口部に排出されることができる。
【０００８】
本発明において、好ましくは、棚部は、螺旋軌道に沿って形成された傾斜面を備えている。
このように構成された本発明においては、排水ソケットの管路の内周面に沿って旋回しながら流入する洗浄水が、螺旋軌道に沿って形成された棚部の傾斜面により、洗浄水の旋回方向の流速成分が抑制され、排水ソケットの管路の内周面に沿って旋回することを抑制することができ、洗浄水が排水ソケットから床下排水管へ偏った状態で流入すること防ぐことができる。また、洗浄水が、棚部の傾斜面の螺旋軌道に沿った傾斜により、棚部に滞留されにくく、スムーズに流出口に排出されることができる。
【０００９】
本発明において、好ましくは、棚部は、排水ソケットの流出口部の中心軸線を中心とした螺旋軌道に沿って傾斜面を形成している。
このように構成された本発明においては、排水ソケットの内周面に沿って旋回しながら流入する洗浄水が、排水ソケットの流出口部の中心軸線を中心とした螺旋軌道に沿って傾斜された棚部により、洗浄水の旋回方向の速度成分が抑制され、排水ソケットの管路の内周面に沿って旋回することを抑制することができ、洗浄水が排水ソケットから床下排水管へ偏った状態で流入すること防ぐことができる。また、洗浄水が、棚部の排水ソケットの流出口部の中心軸線を中心とした螺旋軌道に沿った傾斜により、棚部に滞留されにくく、スムーズに流出口に排出されることができる。
【００１０】
本発明において、好ましくは、棚部は、上面視で、排水ソケットの流入口部の中心軸線より後側領域の全領域に設けられている。
このように構成された本発明においては、便器を洗浄した洗浄水が排水トラップ管路から排水されるピーク時に、排水ソケットの流入口部の中心軸線より後側領域に流れ込む洗浄水が増大した場合に、この後側領域に流れ込む洗浄水の、旋回方向の速度成分が抑制され、洗浄水が排水ソケットの管路の内周面に沿って旋回することを抑制することができる。従って、洗浄水が排水ソケットから床下排水管へ偏った状態で流入すること防ぐことができる。
【００１１】
本発明において、好ましくは、棚部は、その上面が連続した曲面により形成されている。
このように構成された本発明においては、排水ソケットの管路の内周面に沿って旋回しながら流入する洗浄水が、その上面が連続した曲面により形成されている棚部により、洗浄水の旋回方向の流速成分が抑制され、排水ソケットの管路の内周面に沿って旋回することを抑制することができ、洗浄水が排水ソケットから床下排水管へ偏った状態で流入すること防ぐことができる。また、洗浄水が、棚部の上面が連続した曲面により形成される傾斜を有しているので、棚部に滞留されにくく、スムーズに流出口部に排出されることができる。
【００１２】
本発明において、好ましくは、排水ソケットは、その流出口部において、下方向へ延びるガイド部材を備えている。
このように構成された本発明においては、ガイド部材が排水ソケットの流出口部において、下方向へ延びるので、洗浄水を排水ソケットの流出口部の下流付近においてその流出口部の中央方向に導くことができ、洗浄水が排水ソケットから床下排水管の内周面へ偏った状態で流入することを防ぐことができる。
【００１３】
本発明において、好ましくは、ガイド部材は、その下流端が内側に向かって傾斜している。
このように構成された本発明においては、ガイド部材がその下流端が内側且つ下方に向かって傾斜しているので、洗浄水を排水ソケットの流出口部の下流付近においてその流出口部の中央方向により確実に導くことができ、洗浄水が排水ソケットから床下排水管の内周面へ偏った状態で流入することをより確実に防ぐことができる。
【発明の効果】
【００１４】
本発明の洗い落し式便器によれば、排水ソケットから床下排水管に偏って流入した洗浄水が床下排水管の屈曲部分をシールして負圧が発生することを防ぎ、便器の封水を引き込み封水水位が低下することを防ぐことができ、節水化することができる。
【図面の簡単な説明】
【００１５】
【図１】本発明の一実施形態による洗い落し式便器において便座及び便蓋を省略した状態の側面断面図である。
【図２】本発明の一実施形態による洗い落し式便器の排水ソケットの側面図である。
【図３】本発明の一実施形態による洗い落し式便器の排水ソケットの側面断面図である。
【図４】図２のＩＶ−ＩＶ線に沿って見た断面図である。
【図５】図４の断面を、便器本体の前方上方から見た斜視図である。
【図６】本発明の一実施形態による洗い落し式便器の排水ソケットの上面図である。
【図７】本発明の一実施形態による洗い落し式便器の排水ソケットの下面図である。
【図８】本発明の一実施形態による洗い落し式便器の排水ソケットの棚部の上面の傾斜の様子を説明する図である。
【図９】図２のＩＶ−ＩＶ線に沿って見た断面を、便器本体の前方上方から見た斜視図において、本発明の一実施形態による洗い落し式便器の排水ソケットの棚部に当たる洗浄水の流れの様子を示す図である。
【発明を実施するための形態】
【００１６】
以下、添付図面を参照して、本発明の一実施形態による洗い落し式便器について説明する。
図１は、本発明の一実施形態による洗い落し式便器において便座及び便蓋を省略した状態の側面断面図である。図１に示すように、本発明の一実施形態による洗い落し式便器１は、ボウル部内の水の落差による流水作用で汚物を押し流す水洗大便器であり、陶器製の便器本体２と、この便器本体２の後部に取り付けられ、便器洗浄に使用される洗浄水を貯水して便器本体２へ給水する洗浄水源である重力給水式の貯水タンク４とを備えている。
なお、便器本体２へ洗浄水を供給する洗浄水源としては、本実施形態で示した重力給水式の貯水タンク４のようなタンク式のものに限定されず、水道水の給水圧を直接利用した水道直圧式のものや、フラッシュバルブ式のものや、ポンプの補圧を利用して洗浄水を供給するものであってもよい。
【００１７】
図１に示すように、便器本体２の前方上部にはボウル部６が形成されている。また、便器本体２の後方上部には、貯水タンク４から供給された洗浄水をボウル部６に吐水する導水路８が形成されている。さらに、ボウル部６の下方には、ボウル部６内の汚物を排出する排水路である排水トラップ管路１０が形成されている。
【００１８】
ボウル部６は、ボウル形状の汚物受け面１２と、ボウル部６の上縁部に沿って形成されたリム部１４と、これら汚物受け面１２とリム部１４との間に形成されたボウル部棚部１６とを備えている。
【００１９】
また、ボウル部６は、汚物受け面１２よりも下方の領域に形成されて排水トラップ管路１０に接続される凹部１８を備えている。この凹部１８は、底面１８ａと、この底面１８ａと汚物受け面１２の下縁部１２ａとを接続する壁面１８ｂを備えており、凹部１８内には、溜水面Ｗ０の溜水が収容されている。
さらに、導水路８は、貯水タンク４の排水口４ａに接続される入口部８ａからボウル部６の背面側近傍まで延びる共通導水路８ｂと、この共通導水路８ｂのボウル部６の背面側近傍においてそれぞれ分岐するゼット導水路８ｃ及びリム導水路８ｄを備えている。
【００２０】
便器本体２の前方側から見てボウル部６の凹部１８の左側の壁面１８ｂには、ゼット吐水口２０が形成され、このゼット吐水口２０は、導水路８の共通導水路８ｂから分岐したゼット導水路８ｃに接続されており、ゼット吐水口２０から吐水された洗浄水の主流が凹部１８内の溜水（溜水面Ｗ０）に向けて流れ込み、旋回するようになっている。溜水面Ｗ０は、洗浄後に洗浄水が溜水面Ｗ０の高さの封水水位まで貯留した状態となることにより封水面として機能する。
また、リム導水路８ｄは、ボウル部６の背面側近傍で共通導水路８ｂから分岐し、便器本体２の前方側から見て左側に配置されているリム吐水口２２まで延びており、共通導水路８ｂからリム導水路８ｄを経てリム吐水口２２に導水された洗浄水は、リム吐水口２２から吐水され、ボウル部棚部１６上を流れて汚物受け面１２を反時計回りに旋回する旋回流を形成し、凹部１８内に流れ込むようになっている。
なお、リム部１４については、リム吐水口２２を設けるかわりに、リム導水路８ｄの下面の一部を開いた、いわゆる、「オープンリム」の形態であってもよいし、リム導水路８ｄの横断面を閉じた経路に設定して下方に開口した吐水孔を複数設けた、いわゆる、「ボックスリム」の形態であってもよい。
【００２１】
また、ボウル部６の汚物受け面１２の凹部１８の後方且つ下方には、上述した排水トラップ管路１０の入口１０ａが開口し、この入口１０ａから上昇管路１０ｂが後方且つ上方へ延びている。便器洗浄を行う前の状態では、上昇管路１０ｂ内は、溜水面Ｗ０の高さと等しい封水面で封水されている。この上昇管路１０ｂには、下方へ延びる下降管路１０ｃが連続し、下降管路１０ｃの下端（下降管路１０ｃの出口部）は、詳細は後述する排水ソケット２４の上端の流入口部２４ａに接続されている。
さらに、排水ソケット２４の下方側（下流側）の流出口部２４ｂには、床下排水管２６が接続されており、この床下排水管２６の管路２６ａは、排水ソケット２４の流出口部２４ｂに接続された上端部（床下排水管２６の入口部）から下方に所定長さ延びた後、便器本体２の前側方向に屈曲する屈曲部２６ｂを備えている。
【００２２】
つぎに、図１〜図８を参照して、本発明の一実施形態による洗い落し式便器１の排水ソケット２４について詳細に説明する。
図２は本発明の一実施形態による洗い落し式便器の排水ソケットの側面図であり、図３は本発明の一実施形態による洗い落し式便器の排水ソケットの側面断面図であり、図４は図２のＩＶ−ＩＶ線に沿って見た断面図であり、図５は図４の断面を、便器本体の前方上方から見た斜視図であり、図６は本発明の一実施形態による洗い落し式便器の排水ソケットの上面図であり、図７は本発明の一実施形態による洗い落し式便器の排水ソケットの下面図であり、図８は本発明の一実施形態による洗い落し式便器の排水ソケットの棚部の上面の傾斜の様子を説明する図である。
図３において流出管路３２ｂの中心軸線をＡ１により示し、流入管路３２ａの中心軸線をＡ２により示している。
【００２３】
図１乃至図４に示すように、排水ソケット２４は、便器本体２の後方且つ下方の内部に配置されており、床面Ｆにビスやボルト等の固定手段（図示せず）によって固定されるベース部２８と、このベース部２８の上方に一体に形成された本体部３０とを備えている。本体部３０の内部には、上端の流入口部２４ａから下端の流出口部２４ｂにかけて管路３２が形成されている。
【００２４】
また、図３に示すように、排水ソケット２４の管路３２は、上端の流入口部２４ａから下方に延びるように形成された流入管路３２ａと、この流入管路３２ａの下部と、自身の上部とが接続され、下端の流出口部２４ｂまで下方に延びるように形成された流出管路３２ｂと、を備えている。流出管路３２ｂ（流出口部２４ｂ）の中心軸線Ａ１に対し、流入管路３２ａ（流入口部２４ａ）の中心軸線Ａ２は偏心されて配置されている。
また、排水ソケット２４は、流入管路３２ａの下部において、その流入管路３２ａの流入管路内周面３２ｃに沿って形成され、その流入管路３２ａの流入管路内周面３２ｃに沿って旋回しようとする洗浄水を受ける棚部３４を備えている。
【００２５】
棚部３４は、流入管路３２ａの流入管路内周面３２ｃに沿って反時計回りに旋回しながら下降する旋回流Ｆ４（図１参照）に対向するように、逆向き（逆巻き）に旋回しながら上昇する（反時計回りに旋回しながら上昇する）旋回路を形成する上面３４ａを有する。
より具体的には、棚部３４の上面３４ａは、図５に示すように、便器本体２の前方の斜め上方から見て、螺旋形状に沿うような湾曲したスロープを形成し、図６に示すように、上面視で円の一部が流出管路３２ｂ側において欠けたような三日月形状を形成し、図３に示すように、その前後方向中央断面において後方から前方に向けて下り傾斜する傾斜面を形成し、図３及び図８等に示すように、流出口部２４ｂの中心点Ｃ１から見て放射状に上昇するような傾斜面を形成している。このように、棚部３４の上面３４ａは、旋回流の旋回方向の流れを抑制できるような滑らかに連続した曲面により形成されている。
【００２６】
より詳細には、図３及び図８に示すように、この棚部３４の上面３４ａは、流出口部２４ｂの中心点Ｃ１を頂点として、流出管路３２ｂの中心軸線Ａ１を中心とした螺旋軌道（螺旋を形成する巻き上がり線）Ｓに沿って反時計回り（左上がり）に上昇するような曲面により形成される。なお、この棚部３４の上面３４ａは、流出管路３２ｂの中心軸線Ａ１と異なる位置に配置された軸線を中心とした螺旋軌道（螺旋を形成する巻き上がり線）に沿って反時計回り（左上がり）に上昇するような傾斜面により形成されていてもよい。
前後方向においては、より詳細には、棚部３４の上面３４ａは、排水ソケット２４の流入管路３２ａの中心軸線Ａ２と流出管路３２ｂの中心軸線Ａ１とを通る鉛直方向断面において、流出口部２４ｂに向けて下り傾斜している。
左右方向においては、より詳細には、図４に示すように、棚部３４の上面３４ａは、流出管路３２ｂの中心軸線Ａ１から中心軸線Ａ２を見て反時計周り側の反時計周り側領域Ｒ１が時計周り側の時計周り側領域Ｒ２よりも高くなるような傾斜面を形成している。図４において、反時計周り側領域を仮想領域Ｒ１により例示し、時計周り側領域を仮想領域Ｒ２により例示している。
すなわち、本実施形態において、反時計周り側領域Ｒ１は、排水ソケット２４が便器本体２に取り付けられた使用状態において、便器本体２の前方側（便器本体２のボウル部６が形成されている側）から見て中心軸線Ａ２に対して左側領域であり、時計周り側領域Ｒ２は、前方から見て中心軸線Ａ２に対して右側領域である。
【００２７】
この棚部３４の上面３４ａは、図５及び図６に示すように、流入管路３２ａの流入管路内周面３２ｃの後側の内周のほぼ半周以上にわたって沿うように接する流入管側上縁３４ｂと、流出管路３２ｂの流出管路内周面３２ｄよりも内側まで突出するように配置されている流出管側下縁３４ｃとを有している。棚部３４の上面３４ａの流入管側上縁３４ｂが、洗浄水が流入管路３２ａの流入管路内周面３２ｃの後方領域に沿って旋回することを抑制している。さらに、図７に示すように、棚部３４の上面３４ａの流出管側下縁３４ｃは、洗浄水を流出管側下縁３４ｃから流出管路３２ｂの流出管路内周面３２ｄに沿って旋回することを抑制させ、洗浄水を流出管路３２ｂのほぼ中央付近において下方に流下させることができる。
【００２８】
図６に示すように、棚部３４の上面３４ａは、上面視で、流入管路３２ａの中心軸線Ａ２より後側領域Ｒ３の全領域を覆うように形成されている。図６において、流入管の後側領域Ｒ３を仮想線により例示している。便器本体２を洗浄した洗浄水が排水トラップ管路１０から排水される途中の排水量がピークに達する時においては、排水トラップ管路１０の上昇管路１０ｂから下降管路１０ｃの後方側に洗浄水が流れやすく、排水ソケット２４の流入管路３２ａの中心軸線Ａ２より後側領域Ｒ３に流れ込む洗浄水が増大する。棚部３４の上面３４ａは、後側領域Ｒ３を覆うように形成されているので、後側領域Ｒ３に流れ込む洗浄水の大半を確実に受け止め、この洗浄水の旋回方向の流速成分を効果的に抑制することができる。
なお、棚部３４は、流入管路３２ａに別部材として取り付けられてもよいし、製造段階において流入管路３２ａと一部材として形成されてもよい。
【００２９】
図３に示すように、排水ソケット２４の流出管路３２ｂは、流出口部２４ｂ近傍において、下方向へ延びるガイド部材３６を備えている。ガイド部材３６は、流出管路３２ｂの流出管路内周面３２ｄの一部を形成し、流出管路３２ｂの下端の壁面を形成している。なお、本実施形態においては、ガイド部材３６は、その下流端が垂直下方に延びる壁面を形成しているが、変形例として、ガイド部材３６は、その下流端が全周又は一部が内側（中央側）且つ下方に向かって傾斜している壁面を形成していてもよい。本実施形態によるガイド部材３６により、流出管路３２ｂ内の洗浄水の流れは、ガイド部材３６により、流出管路３２ｂのほぼ中央方向（中心軸線Ａ１の方向）にガイドされ、排水ソケット２４の流出口部２４ｂから床下排水管２６の管路２６ａ内の前側壁面２６ｃの方向に偏った状態で流入しないようになっている。
【００３０】
なお、上述した本発明の一実施形態による洗い落し式便器１では、例として、排水トラップ管路１０の流入管路３２ａの中心軸線Ａ２が排水ソケット２４の流出管路３２ｂの中心軸線Ａ１（及び床下排水管２６の管路２６ａの中心軸線Ａ１）よりも後側に位置する場合において、棚部３４の上面３４ａが、排水ソケット２４の流出管路３２ｂの中心軸線Ａ１を中心とした螺旋軌道に沿って反時計回りに上昇するような傾斜面により形成される形態について説明したが、他の形態についても適用可能である。
例えば、排水トラップ管路１０の流入管路３２ａの中心軸線Ａ２が排水ソケット２４の流出管路３２ｂの中心軸線Ａ１（及び床下排水管２６の管路２６ａの中心軸線Ａ１）よりも前側に位置する場合、又は、排水ソケット２４の流出管路３２ｂの中心軸線Ａ１（及び床下排水管２６の管路２６ａの中心軸線Ａ１）が排水トラップ管路１０の流入管路３２ａの中心軸線Ａ２から見て便器の左右側にずれて配置される場合にも、棚部３４の上面３４ａが、排水ソケット２４の流出管路３２ｂの中心軸線Ａ１を中心とした螺旋軌道に沿って反時計回りに上昇するような傾斜面により形成されることができ、旋回流で便器を洗浄した洗浄水が排水ソケット２４の管路３２の内周面に沿って旋回することを確実に抑制することができ、洗浄水が床下排水管２６の管路２６ａ内の特定の領域へ偏った状態で流入すること防ぐことができる。
要するに、排水トラップ管路１０の流入管路３２ａの中心軸線Ａ２と排水ソケット２４の流出管路３２ｂの中心軸線Ａ１（及び床下排水管２６の管路２６ａの中心軸線Ａ１）との互いの関係がどのような態様であっても、排水ソケット２４に対する棚部３４の上面３４ａの配置を適宜変更することにより、旋回流で便器を洗浄した洗浄水が排水ソケット２４の管路３２の内周面に沿って旋回することを確実に抑制することができる。
【００３１】
つぎに、図１〜図７により、本発明の一実施形態による洗い落し式便器の作用（動作）を説明する。
図７は、本発明の一実施形態による洗い落し式便器の排水ソケットから床下排水管に流れ込む排水の流れの様子を示す図であり、
ボウル部内において形成される旋回流の方向を矢印Ｆ１で示し、排水トラップ管路１０内において形成される旋回流の方向を矢印Ｆ２及びＦ３で示し、排水ソケットの管路の内周面に沿って旋回しながら流入する旋回流の方向を矢印Ｆ４で示し、棚部３４の上面３４ａに衝突した洗浄水の流れの方向を矢印Ｆ５で示している。
【００３２】
まず、使用者が便器洗浄のための操作レバー（図示せず）等を操作して、便器洗浄が開始されると、図１に示すように、貯水タンク４内の洗浄水が共通導水路８ｂを経てゼット導水路８ｃとリム導水路８ｄに分岐して流れる。そして、ゼット吐水口２０のリム吐水口２２のそれぞれから吐水が行われ、便器本体２のボウル部６内が反時計回りの旋回流Ｆ１により洗浄された後、水の落差による流水作用で汚物が排水トラップ管路１０の入口１０ａから上昇管路１０ｂに排出される。
【００３３】
つぎに、この旋回流で便器を洗浄し、排水トラップ管路１０の上昇管路１０ｂ内に汚物と共に排出された洗浄水は、遠心力により内周面に沿った反時計回りの旋回流Ｆ２を維持したまま、上昇管路１０ｂを上昇した後、下降管路１０ｃを旋回流Ｆ３を形成しながら下降し、排水ソケット２４の流入口部２４ａから流入管路３２ａに流入する旋回流Ｆ４を形成する。
【００３４】
排水ソケットの流入管路３２ａの流入管路内周面３２ｃに沿って反時計回りに旋回しながら下降する洗浄水は、棚部３４がこの旋回流に対向するように、逆向きに旋回しながら上昇する旋回路を形成しているので、棚部３４の上面３４ａに当たり旋回流の反時計回りの流速成分が低減され且つ抑制される。さらに、棚部３４の上面３４ａに衝突した洗浄水は、矢印Ｆ５に示すように、棚部３４の上面３４ａから流れの向きを変えて流出管路３２ｂの中心軸線Ａ１に向かってわずかに跳ね上がるように導かれ、流出管路３２ｂのほぼ中央（流出管路の中心軸線Ａ１の方向）に集まるように流下される。別の言い方によれば、流入管路３２ａの流入管路内周面３２ｃに沿って流れる旋回流を流出管路内周面３２ｄに沿った旋回をさせないように整流し、洗浄水の流れを流出管路３２ｂのほぼ中央に落とすことができる。
これによって、旋回流で便器を洗浄して排水トラップ管路１０から排水ソケット２４の流入管路３２ａ内に流入した洗浄水が、排水ソケット２４の流出管路３２ｂの流出管路内周面３２ｄに沿って旋回することが抑制される。
【００３５】
さらに、流出管路３２ｂのガイド部材３６が、洗浄水を流出管路３２ｂのほぼ中央に導くことができ、流出管路３２ｂのほぼ中央に導かれた洗浄水は、床下排水管２６の管路２６ａの前側壁面２６ｃに沿うことなく、管路２６ａ内のほぼ中央付近を下方に流れる。すなわち、ガイド部材３６によって、洗浄水が排水ソケット２４の管路３２から床下排水管２６の管路２６ａ内へ偏った状態で流入すること防ぐことができる。
【００３６】
また、床下排水管２６の管路２６ａ内のほぼ中央付近を下方に流れた洗浄水は、床下排水管２６の管路２６ａ内の屈曲部２６ｂに衝突し、管路２６ａの底面に沿って前方へ流れる。このとき、管路２６ａの流路断面は、洗浄水の水膜等によってシールされることがないため、洗い落し式便器１の封水を引き込もうとする負圧も発生していない。
【００３７】
上述した本発明の一実施形態による洗い落し式便器１によれば、吐水部２２からボウル部６に洗浄水を吐水して形成した旋回流で便器本体２を洗浄した洗浄水が、排水ソケット２４の流入管路３２ａの流入管路内周面３２ｃに沿って旋回しながら流入するとき、ボウル部６において形成される旋回流が反時計周りの旋回流Ｆ１である場合、棚部３４が、棚部３４の反時計周り側領域Ｒ１が高くなるように形成され、ボウル部６において形成される旋回流が時計周りの旋回流である場合、棚部３４が、棚部３４の時計周り側領域Ｒ２が高くなるように形成されているので、その流入管路３２ａの流入管路内周面３２ｃに沿って旋回しようとする洗浄水を受ける棚部３４により、洗浄水の旋回方向の流速成分を抑制させることができ、且つ洗浄水を排水ソケット２４の流出管路３２ｂの中央方向に導くことができる。よって、洗浄水が排水ソケット２４の流出管路３２ｂの流出管路内周面３２ｄに沿って旋回することを抑制することができ、洗浄水が排水ソケット２４から床下排水管２６へ偏った状態で流入すること防ぐことができる。したがって、床下排水管２６が屈曲部２６ｂを有している場合に、排水ソケットから床下排水管２６に偏って流入した洗浄水が床下排水管２６の屈曲部２６ｂをシールして負圧が発生することを防ぐことができ、洗い落し式便器１の封水を引き込み封水水位が低下することを防ぐことができ、節水化することができる。
【００３８】
また、本発明の一実施形態による洗い落し式便器１によれば、吐水部２２からボウル部６に洗浄水を吐水して形成した旋回流で便器本体２を洗浄した洗浄水が排水ソケット２４の流入管路３２ａの流入管路内周面３２ｃに沿って旋回しながら流入するとき、排水ソケット２４の流出口部２４ｂに向けて下り傾斜している棚部３４により、洗浄水の旋回方向の流速成分を抑制させることができ、且つ洗浄水を排水ソケット２４の流出口部２４ｂの中央方向に導くことができる。よって、洗浄水が排水ソケット２４の流出管路３２ｂの流出管路内周面３２ｄに沿って旋回することを抑制することができ、洗浄水が排水ソケット２４から床下排水管２６へ偏った状態で流入すること防ぐことができる。
また、洗浄水が、棚部３４が流出口部２４ｂに向かう下り傾斜に形成されているので、棚部３４に滞留されにくく、スムーズに流出口部２４ｂに排出されることができる。
【００３９】
さらに、本発明の一実施形態による洗い落し式便器１によれば、排水ソケット２４の流入管路３２ａの流入管路内周面３２ｃに沿って旋回しながら流入する洗浄水が、螺旋軌道Ｓに沿った上面３４ａを有している棚部３４により、洗浄水の旋回方向の流速成分が抑制され、排水ソケット２４の流出管路３２ｂの流出管路内周面３２ｄに沿って旋回することを抑制することができ、洗浄水が排水ソケット２４から床下排水管２６へ偏った状態で流入すること防ぐことができる。
また、洗浄水が、棚部３４の螺旋軌道Ｓに沿った傾斜により、棚部３４に滞留されにくく、スムーズに流出口部２４ｂに排出されることができる。
【００４０】
また、本発明の一実施形態による洗い落し式便器１によれば、排水ソケット２４の流入管路内周面３２ｃに沿って旋回しながら流入する洗浄水が、排水ソケット２４の流出口部２４ｂの中心軸線を中心とした螺旋軌道Ｓに沿って傾斜された棚部３４により、洗浄水の旋回方向の速度成分が抑制され、排水ソケット２４の流出管路３２ｂの流出管路内周面３２ｄに沿って旋回することを抑制することができ、洗浄水が排水ソケット２４から床下排水管２６へ偏った状態で流入すること防ぐことができる。
また、洗浄水が、棚部３４の排水ソケット２４の流出口部２４ｂの中心軸線を中心とした螺旋軌道Ｓに沿った傾斜により、棚部３４に滞留されにくく、スムーズに流出口部２４ｂに排出されることができる。
【００４１】
さらに、本発明の一実施形態による洗い落し式便器１によれば、便器本体２を洗浄した洗浄水が排水トラップ管路１０から排水されるピーク時に、排水ソケット２４の流入管路３２ａの中心軸線Ａ２より後側領域Ｒ３に流れ込む洗浄水が増大した場合に、この後側領域Ｒ３に流れ込む洗浄水の旋回方向の速度成分が抑制され、洗浄水が排水ソケット２４の流出管路３２ｂの流出管路内周面３２ｄに沿って旋回することを抑制することができる。従って、洗浄水が排水ソケット２４から床下排水管２６へ偏った状態で流入すること防ぐことができる。
【００４２】
また、本発明の一実施形態による洗い落し式便器１によれば、排水ソケット２４の流入管路３２ａの流入管路内周面３２ｃに沿って旋回しながら流入する洗浄水が、その上面３４ａがなめらかに連続した曲面により形成されている棚部３４により、洗浄水の旋回方向の流速成分が抑制され、排水ソケット２４の流出管路３２ｂの流出管路内周面３２ｄに沿って旋回することを抑制することができ、洗浄水が排水ソケット２４から床下排水管２６へ偏った状態で流入すること防ぐことができる。
また、洗浄水が、棚部３４の上面３４ａが連続した曲面により形成される傾斜を有しているので、棚部３４に滞留されにくく、スムーズに流出口部２４ｂに排出されることができる。
【００４３】
さらに、本発明の一実施形態による洗い落し式便器１によれば、ガイド部材３６が排水ソケット２４の流出口部２４ｂにおいて、下方向へ延びるので、洗浄水を排水ソケット２４の流出口部２４ｂの下流付近においてその流出口部２４ｂの中央方向に導くことができ、洗浄水が排水ソケット２４から床下排水管２６の内周面へ偏った状態で流入することを防ぐことができる。
【００４４】
また、本発明の一実施形態による洗い落し式便器１によれば、ガイド部材３６がその下流端が内側且つ下方に向かって傾斜しているので、洗浄水を排水ソケット２４の流出口部２４ｂの下流付近においてその流出口部２４ｂの中央方向により確実に導くことができ、洗浄水が排水ソケット２４から床下排水管２６の内周面へ偏った状態で流入することをより確実に防ぐことができる。
【００４５】
なお、上述した本発明の一実施形態による洗い落し式便器においては、一例として、ボウル部において形成される旋回方向が反時計周りである形態について説明したが、このような形態に限られず、他の実施形態として、ボウル部において形成される旋回方向が時計周りである形態についても適用可能である。このようにボウル部において形成される旋回方向が時計周りである本発明の他の実施形態による洗い落し式便器では、本発明の一実施形態による洗い落し式便器１の排水ソケット２４の棚部３４の形態と異なる形態の棚部が適用される。
具体的には、本発明の一実施形態による洗い落し式便器１の排水ソケット２４の棚部３４では、流出口部２４ｂの中心点Ｃ１を頂点として、流出管路３２ｂの中心軸線Ａ１を中心とした螺旋軌道（螺旋を形成する巻き上がり線）Ｓに沿って反時計回り（左上がり）に上昇するような曲面により形成され、棚部３４の上面３４ａが、流出管路３２ｂの中心軸線Ａ１から見て反時計周り側の反時計周り側領域（左側領域）Ｒ１が時計周り側の時計周り側領域（右側領域）Ｒ２よりも高くなるように傾斜面を形成している。
これに対し、他の実施形態では、棚部が、流出口部２４ｂの中心点Ｃ１を頂点として、流出管路３２ｂの中心軸線Ａ１を中心とした螺旋軌道（螺旋を形成する巻き上がり線）に沿って時計回り（右上がり）に上昇するような曲面により形成され、棚部の上面が、流出管路３２ｂの中心軸線Ａ１から見て時計周り側の時計周り側領域（右側領域）Ｒ２が反時計周り側の反時計周り側領域（左側領域）Ｒ１よりも高くなるような傾斜面を形成することにより、時計回りの旋回流により便器を洗浄して排水ソケットに時計回りに旋回しながら流入した洗浄水の旋回方向の流速成分を抑制させることができ、且つ洗浄水を排水ソケットの流出管路３２ｂの中央方向に導くことができる。したがって、洗浄水が排水ソケットから床下排水管２６へ偏った状態で流入すること防ぐことができ、床下排水管２６が屈曲部２６ｂを有している場合に、排水ソケットから床下排水管２６に偏って流入した洗浄水が床下排水管２６の屈曲部２６ｂをシールして負圧が発生することを防ぐことができ、洗い落し式便器の封水を引き込み封水水位が低下することを防ぐことができ、節水化することができる。
【符号の説明】
【００４６】
１            洗い落し式便器
２            便器本体
６            ボウル部
１０          排水トラップ管路
１０ｂ        上昇管路
１０ｃ        下降管路
１２          汚物受け面
１４          リム部
２２          リム吐水口
２４          排水ソケット
２４ａ        流入口部
２４ｂ        流出口部
２６          床下排水管
２６ｂ        屈曲部
３２          管路
３２ａ        流入管路
３２ｂ        流出管路
３２ｃ        流入管路内周面
３２ｄ        流出管路内周面
３４          棚部
３４ａ        上面
３６          ガイド部材
Ａ１          中心軸線
Ａ２          中心軸線
Ｃ１          中心点
【図１】
2015063828.tif 000003
【図２】
2015063828.tif 000004
【図３】
2015063828.tif 000005
【図４】
2015063828.tif 000006
【図５】
2015063828.tif 000007
【図６】
2015063828.tif 000008
【図７】
2015063828.tif 000009
【図８】
2015063828.tif 000010
【図９】
2015063828.tif 000011